【手続補正書】
【提出日】平成21年2月18日(2009.2.18)
【手続補正１】
【補正対象書類名】特許請求の範囲
【補正対象項目名】全文
【補正方法】変更
【補正の内容】
【特許請求の範囲】
【請求項１】
事故の際に人間を障害から守るために人間が装着する安全ハーネスにおいてある人間を安全ハーネスの内部に保持するために人体の一部にわたってのびるためのストラップ部を含み、ストラップ部の少なくとも一部が約４．５５ｋｇ（１０ポンド）〜約９．０９ｋｇ（２０ポンド）の引張荷重の下で少なくとも約３％の弾性伸びを有するようにしてあり、ストラップ部がさらに少なくとも２２７２．７ｋｇ（５０００ポンド）の破壊強度を有し、ストラップ部の少なくとも一部が少なくとも２つの材料製の織物を含み、この２つの材料の一方が非弾性、高強度材料であり、他方が弾性材料であることを特徴とする安全ハーネス。
【請求項２】
ストラップ部の少なくとも一部が約４．５５ｋｇ（１０ポンド）〜約．０９ｋｇ（２０ポンド）の引張荷重の下で約３％〜約２０％の範囲の弾性伸びを有するようにしてあることを特徴とする請求項１に記載の安全ハーネス。
【請求項３】
ストラップ部の少なくとも一部が約４．５５ｋｇ（１０ポンド）の引張荷重の下で約３％〜約１５％の範囲の弾性伸びを有するようにしてあることを特徴とする請求項２に記載の安全ハーネス。
【請求項４】
ストラップ部の少なくとも一部が約４．５５ｋｇ（１０ポンド）の引張荷重の下で約７％〜約１１％の範囲の弾性伸びを有するようにしてあることを特徴とする請求項３に記載の安全ハーネス。
【請求項５】
ほぼ全ストラップ部が少なくとも２つの材料製の織物を含み、この２つの材料の一方が非弾性、高強度材料であり、他方が弾性材料であり、少なくとも２つの材料製の織物が約４．５５ｋｇ（１０ポンド）〜約９．０９ｋｇ（２０ポンド）の引張荷重の下で少なくとも約３％の弾性伸びを有し、少なくとも２つの材料製の織物が約４５４．５５ｋｇ（１０００ポンド）までの引張荷重においてわずか２０％の弾性伸びしか有していないことを特徴とする請求項１に記載の安全ハーネス。
【請求項６】
ストラップ部が約４５．４５ｋｇ（１００ポンド）までの引張荷重においてわずか２０％の弾性伸びしか有していないことを特徴とする請求項１に記載の安全ハーネス。
【請求項７】
ストラップ部が約４５４．５５ｋｇ（１０００ポンド）までの引張荷重においてわずか２０％の弾性伸びしか有していないことを特徴とする請求項１に記載の安全ハーネス。
【請求項８】
ストラップ部が約４５．４５ｋｇ（１００ポンド）までの引張荷重においてわずか２０％の弾性伸びしか有していないことを特徴とする請求項５に記載の安全ハーネス。
【請求項９】
ストラップ部が約４５４．５５ｋｇ（１０００ポンド）までの引張荷重においてわずか２０％の弾性伸びしか有していないことを特徴とする請求項５に記載の安全ハーネス。
【請求項１０】
事故の際に人間を障害から守るために人間が装着する安全ハーネスにおいて、ある人間のそれぞれの肩にのびるためのショルダストラップ部を有する上半身部を含み、ストラップ部の少なくとも一部が約４．５５ｋｇ（１０ポンド）〜約９．０９ｋｇ（２０ポンド）の引張荷重の下で少なくとも約３％の弾性伸びを有するようにしてあり、ショルダストラップ部がさらに少なくとも２２７２．７ｋｇ（５０００ポンド）の破壊強度を有し、ストラップ部の少なくとも一部が少なくとも２つの材料製の織物を含み、この２つの材料の一方が非弾性、高強度材料であり、他方が弾性材料であることを特徴とする安全ハーネス。
【請求項１１】
ショルダストラップ部の少なくとも一部が約４．５５ｋｇ（１０ポンド）〜約９．０９ｋｇ（２０ポンド）の引張荷重の下で約３％〜約２０％の範囲の弾性伸びを有するようにしてあることを特徴とする請求項１０に記載の安全ハーネス。
【請求項１２】
ショルダストラップ部の少なくとも一部が約４．５５ｋｇ（１０ポンド）の引張荷重の下で約３％〜約１５％の範囲の弾性伸びを有するようにしてあることを特徴とする請求項１１に記載の安全ハーネス。
【請求項１３】
ショルダストラップ部の少なくとも一部が約４．５５ｋｇ（１０ポンド）の引張荷重の下で約７％〜約１１％の範囲の弾性伸びを有するようにしてあることを特徴とする請求項１１に記載の安全ハーネス。
【請求項１４】
ほぼ全ショルダストラップ部が少なくとも２つの材料製の織物を含み、この２つの材料の一方が非弾性、高強度材料であり、他方が弾性材料であり、少なくとも２つの材料製の織物が約４．５５ｋｇ（１０ポンド）〜約９．０９ｋｇ（２０ポンド）の引張荷重の下で少なくとも約３％の弾性伸び有し、少なくとも２つの材料製の織物が約４５４．５５ｋｇ（１０００ポンド）までの引張荷重においてはわずか２０％の弾性伸びしか有していないことを特徴とする請求項１０記載の安全ハーネス。
【請求項１５】
ショルダストラップ部が約４５．４５ｋｇ（１００ポンド）までの引張荷重においてわずか２０％の弾性伸びしか有していないことを特徴とする請求項１０に記載の安全ハーネス。
【請求項１６】
ストラップ部が約４５４．５５ｋｇ（１０００ポンド）までの引張荷重においてわずか２０％の弾性伸びしか有していないことを特徴とする請求項１０に記載の安全ハーネス。
【請求項１７】
ストラップ部が約４５．４５ｋｇ（１００ポンド）までの引張荷重においてわずか２０％の弾性伸びしか有していないことを特徴とする請求項１４に記載の安全ハーネス。
【請求項１８】
ストラップ部が約４５４．５５ｋｇ（１０００ポンド）までの引張荷重においてわずか２０％の弾性伸びしか有していないことを特徴とする請求項１４に記載の安全ハーネス。
【請求項１９】
ショルダストラップ部と作動連結された胸ストラップ部をさらに含み、胸ストラップ部がある人間の胸の一部にのびるようにしてあり、胸ストラップ部が非弾性材料から製造されていることを特徴とする請求項１０に記載の安全ハーネス。
【請求項２０】
ショルダストラップ部と作動連結された脚ストラップ部をさらに含み、脚ストラップ部が人間の脚のまわりにのびるようにしてあり、脚ストラップ部の少なくとも一部が約４．５５ｋｇ（１０ポンド）〜約９．０９ｋｇ（２０ポンド）の引張荷重の下で少なくとも約３％の弾性伸びを有するようにしてあり、脚ストラップ部がさらに少なくとも２２７２．７ｋｇ（５０００ポンド）の破壊強度を有し、脚ストラップ部の少なくとも一部が少なくとも２つの材料製の織物を含み、この２つの材料の一方が非弾性、高強度材料であり、他方が弾性材料であることを特徴とする請求項１０に記載の安全ハーネス。
【請求項２１】
脚ストラップ部の少なくとも一部が約４．５５ｋｇ（１０ポンド）の引張荷重の下で約７％〜約１１％の範囲の弾性伸びを有するようにしてあることを特徴とする請求項２０に記載の安全ハーネス。
【請求項２２】
ほぼ全脚ストラップ部が少なくとも２つの材料製の織物を含み、この２つの材料の一方が非弾性、高強度材料であり、他方が弾性材料であることを特徴とする請求項２１に記載の安全ハーネス。
【請求項２３】
脚ストラップ部の少なくとも一部が約４５．４５ｋｇ（１００ポンド）の引張荷重の下でわずか２０％の弾性伸びしか有していないことを特徴とする請求項２０に記載の安全ハーネス。
【請求項２４】
脚ストラップ部の少なくとも一部が約４５４．５５ｋｇ（１０００ポンド）の引張荷重の下でわずか２０％の弾性伸びしか有していないことを特徴とする請求項２０に記載の安全ハーネス。
【請求項２５】
事故の際に人間を障害から守るために人間が装着する安全ハーネスにおいてある人間を安全ハーネスの内部に保持するために人体の一部にわたってのびるためのストラップ部を含み、ストラップ部の少なくとも一部が約４．５５ｋｇ（１０ポンド）〜約９．０９ｋｇ（２０ポンド）の引張荷重の下で少なくとも約３％の弾性伸びを有する単一ストラップを含み、ストラップ部がさらに少なくとも２２７２．７ｋｇ（５０００ポンド）の破壊強度を有することを特徴とする安全ハーネス。
【請求項２６】
単一ストラップが約４．５５ｋｇ（１０ポンド）〜約９．０９ｋｇ（２０ポンド）の引張荷重の下で約３％〜約２０％の範囲の弾性伸びを有することを特徴とする請求項２５に記載の安全ハーネス。
【請求項２７】
単一ストラップが約４．５５ｋｇ（１０ポンド）の引張荷重の下で約３％〜約１５％の範囲の弾性伸びを有することを特徴とする請求項２６に記載の安全ハーネス。
【請求項２８】
単一ストラップが約４．５５ｋｇ（１０ポンド）の引張荷重の下で約７％〜約１１％の範囲の弾性伸びを有することを特徴とする請求項２７に記載の安全ハーネス。
【請求項２９】
ほぼ全ストラップ部が単一ストラップを含むことを特徴とする請求項２５に記載の安全ハーネス。
【請求項３０】
単一ストラップが約４５．４５ｋｇ（１００ポンド）までの引張荷重においてわずか２０％の弾性伸びしか有していないことを特徴とする請求項２５に記載の安全ハーネス。
【請求項３１】
単一ストラップが約４５４．５５ｋｇ（１０００ポンド）までの引張荷重においてわずか２０％の弾性伸びしか有していないことを特徴とする請求項２５に記載の安全ハーネス。
【請求項３２】
ストラップ部が約４５．４５ｋｇ（１００ポンド）までの引張荷重においてわずか２０％の弾性伸びしか有していないことを特徴とする請求項２９に記載の安全ハーネス。
【請求項３３】
単一ストラップが約４５４．５５ｋｇ（１０００ポンド）までの引張荷重においてわずか２０％の弾性伸びしか有していないことを特徴とする請求項２９に記載の安全ハーネス。
【請求項３４】
事故の際に人間を障害から守るために人間が装着する安全ハーネスにおいて、ある人間のそれぞれの肩にのびるためのショルダストラップ部を有する上半身部を含み、ストラップ部の少なくとも一部が約４．５５ｋｇ（１０ポンド）〜約９．０９ｋｇ（２０ポンド）の引張荷重の下で少なくとも約３％の弾性伸びを有する単一ストラップを含み、ショルダストラップ部がさらに少なくとも２２７２．７ｋｇ（５０００ポンド）の破壊強度を有することを特徴とする安全ハーネス。
【請求項３５】
単一ストラップが約４．５５ｋｇ（１０ポンド）〜約９．０９ｋｇ（２０ポンド）の引張荷重の下で約３％〜約２０％の範囲の弾性伸びを有することを特徴とする請求項３４に記載の安全ハーネス。
【請求項３６】
単一ストラップが約４．５５ｋｇ（１０ポンド）の引張荷重の下で約３％〜約１５％の範囲の弾性伸びを有することを特徴とする請求項３５に記載の安全ハーネス。
【請求項３７】
単一ストラップが約４．５５ｋｇ（１０ポンド）の引張荷重の下で約７％〜約１１％の範囲の弾性伸びを有することを特徴とする請求項３６に記載の安全ハーネス。
【請求項３８】
ほぼ全ショルダストラップ部が単一ストラップを含むことを特徴とする請求項３４に記載の安全ハーネス。
【請求項３９】
単一ストラップが約４５．４５ｋｇ（１００ポンド）までの引張荷重においてわずか２０％の弾性伸びしか有していないことを特徴とする請求項３４に記載の安全ハーネス。
【請求項４０】
単一ストラップが約４５４．５５ｋｇ（１０００ポンド）までの引張荷重においてわずか２０％の弾性伸びしか有していないことを特徴とする請求項３４に記載の安全ハーネス。
【請求項４１】
単一ストラップが約４５．４５ｋｇ（１００ポンド）までの引張荷重においてわずか２０％の弾性伸びしか有していないことを特徴とする請求項３８に記載の安全ハーネス。
【請求項４２】
単一ストラップが約４５４．５５ｋｇ（１０００ポンド）までの引張荷重においてわずか２０％の弾性伸びしか有していないことを特徴とする請求項３８に記載の安全ハーネス。
【請求項４３】
ショルダストラップ部と作動連結された胸ストラップ部をさらに含み、胸ストラップ部が人間の胸の一部にのびるようにしてあり、胸ストラップ部が非弾性材料から製造されていることを特徴とする請求項３４に記載の安全ハーネス。
【請求項４４】
ショルダストラップ部と作動連結された脚ストラップ部をさらに含み、脚ストラップ部が人間の脚のまわりにのびるようにしてあり、脚ストラップ部の少なくとも一部が約４．５５ｋｇ（１０ポンド）〜約９．０９ｋｇ（２０ポンド）の引張荷重の下で少なくとも約３％の弾性伸びを有する第２単一ストラップを含み、脚ストラップ部がさらに少なくとも２２７２．７ｋｇ（５０００ポンド）の破壊強度を有することを特徴とする請求項３４に記載の安全ハーネス。
【請求項４５】
第２単一ストラップが約４．５５ｋｇ（１０ポンド）の引張荷重の下で約７％〜約１１％の範囲の弾性伸びを有することを特徴とする請求項４４に記載の安全ハーネス。
【請求項４６】
ほぼ全ショルダストラップ部が第２単一ストラップを含むことを特徴とする請求項３４に記載の安全ハーネス。
【請求項４７】
第２単一ストラップが約４５．４５ｋｇ（１００ポンド）までの引張荷重においてわずか２０％の弾性伸びしか有していないことを特徴とする請求項４４に記載の安全ハーネス。
【請求項４８】
第２単一ストラップが約４５４．５５ｋｇ（１０００ポンド）までの引張荷重においてわずか２０％の弾性伸びしか有していないことを特徴とする請求項４４に記載の安全ハーネス。
【請求項４９】
事故の際に人間を障害から守るために人間が装着する安全ハーネスにおいて、ある人間を安全ハーネスの内部に保持するために人体の一部にわたってのびるためのストラップ部を含み、ストラップ部の少なくとも一部が約４．５５ｋｇ（１０ポンド）〜約９．０９ｋｇ（２０ポンド）の引張荷重の下で少なくとも約３％の弾性伸びを有するようにしてあり、ストラップ部がさらに落下を止める際に受ける引張力に耐えることが可能な破壊強度を有し、ストラップ部の少なくとも一部が少なくとも２つの材料製の織物を含み、この２つの材料の一方が非弾性、高強度材料であり、他方が弾性材料であることを特徴とする安全ハーネス。
【請求項５０】
ストラップ部の少なくとも一部が約４．５５ｋｇ（１０ポンド）〜約９．０９ｋｇ（２０ポンド）の引張荷重の下で約３％〜約２０％の範囲の弾性伸びを有するようにしてあることを特徴とする請求項４９に記載の安全ハーネス。
【請求項５１】
ストラップ部の少なくとも一部が約４．５５ｋｇ（１０ポンド）の引張荷重の下で約３％〜約１５％の範囲の弾性伸びを有するようにしてあることを特徴とする請求項５０に記載の安全ハーネス。
【請求項５２】
ストラップ部の少なくとも一部が約４．５５ｋｇ（１０ポンド）の引張荷重の下で約７％〜約１１％の範囲の弾性伸びを有するようにしてあることを特徴とする請求項５１に記載の安全ハーネス。
【請求項５３】
ほぼ全ストラップ部が少なくとも２つの材料製の織物を含み、この２つの材料の一方が非弾性、高強度材料であり、他方が弾性材料であり、少なくとも２つの材料製の織物が約４．５５ｋｇ（１０ポンド）〜約９．０９ｋｇ（２０ポンド）の引張荷重の下で少なくとも約３％の弾性伸び有し、少なくとも２つの材料製の織物が約４５４．５５ｋｇ（１０００ポンド）までの引張荷重においてはわずか２０％の弾性伸びしか有していないことを特徴とする請求項４９に記載の安全ハーネス。
【請求項５４】
ストラップ部が約４５．４５ｋｇ（１００ポンド）までの引張荷重においてわずか２０％の弾性伸びしか有していないことを特徴とする請求項４９に記載の安全ハーネス。
【請求項５５】
ストラップ部が約４５４．５５ｋｇ（１０００ポンド）までの引張荷重においてわずか２０％の弾性伸びしか有していないことを特徴とする請求項５０に記載の安全ハーネス。
【請求項５６】
ストラップ部が約４５．４５ｋｇ（１００ポンド）までの引張荷重においてわずか２０％の弾性伸びしか有していないことを特徴とする請求項５３に記載の安全ハーネス。
【請求項５７】
単一ストラップが約４５４．５５ｋｇ（１０００ポンド）までの引張荷重においてわずか２０％の弾性伸びしか有していないことを特徴とする請求項５３に記載の安全ハーネス。
【請求項５８】
事故の際に人間を障害から守るために人間が装着する安全ハーネスにおいて、ある人間を安全ハーネスの内部に保持するために人体の一部にわたってのびるためのストラップ部を含み、ストラップ部の少なくとも一部が約４．５５ｋｇ（１０ポンド）〜約９．０９ｋｇ（２０ポンド）の引張荷重の下で少なくとも約３％の弾性伸びを有する単一ストラップを含み、ストラップ部がさらに落下を止める際に受ける引張力に耐えることが可能な破壊強度を有することを特徴とする安全ハーネス。
【請求項５９】
単一ストラップが約４．５５ｋｇ（１０ポンド）〜約９．０９ｋｇ（２０ポンド）の引張荷重の下で約３％〜約２０％の範囲の弾性伸びを有することを特徴とする請求項５８に記載の安全ハーネス。
【請求項６０】
単一ストラップが約４．５５ｋｇ（１０ポンド）の引張荷重の下で約３％〜約１５％の範囲の弾性伸びを有することを特徴とする請求項５９に記載の安全ハーネス。
【請求項６１】
単一ストラップが約４．５５ｋｇ（１０ポンド）の引張荷重の下で約７％〜約１１％の範囲の弾性伸びを有することを特徴とする請求項６０に記載の安全ハーネス。
【請求項６２】
ほぼ全ショルダストラップ部が単一ストラップからなることを特徴とする請求項５８に記載の安全ハーネス。
【請求項６３】
単一ストラップが約４５．４５ｋｇ（１００ポンド）までの引張荷重においてわずか２０％の弾性伸びしか有していないことを特徴とする請求項５８に記載の安全ハーネス。
【請求項６４】
単一ストラップが約４５４．５５ｋｇ（１０００ポンド）までの引張荷重においてわずか２０％の弾性伸びしか有していないことを特徴とする請求項５８に記載の安全ハーネス。
【請求項６５】
単一ストラップが約４５．４５ｋｇ（１００ポンド）までの引張荷重においてわずか２０％の弾性伸びしか有していないことを特徴とする請求項６２に記載の安全ハーネス。
【請求項６６】
単一ストラップが約４５４．５５ｋｇ（１０００ポンド）までの引張荷重においてわずか２０％の弾性伸びしか有していないことを特徴とする請求項６２に記載の安全ハーネス。
【請求項６７】
事故の際に人間を障害から守るために人間が装着する安全ハーネスにおいて、人間を安全ハーネスの内部に保持するために人体の一部にわたって延び、人間の動きを容易にするために事故の際以外に人間の動きによって弾性的に伸びるストラップ部を含み、ストラップ部の少なくとも一部が約４．５５ｋｇ（１０ポンド）〜約９．０９ｋｇ（２０ポンド）の引張荷重の下で少なくとも約３％の弾性伸びを有するようにしてあり、ストラップ部がさらに少なくとも２２７２．７ｋｇ（５０００ポンド）の破壊強度を有し、ストラップ部の少なくとも一部が少なくとも２つの材料製の織物を含み、この２つの材料の一方が非弾性、高強度材料であり、他方が弾性材料であることを特徴とする安全ハーネス。
【請求項６８】
事故の際に人間を障害から守るために人間が装着する安全ハーネスにおいて、ある人間のそれぞれの肩に延び、人間の動きを容易にするために事故の際以外に人間の動きによって弾性的に伸びるショルダストラップ部を有する上半身部を含み、ストラップ部の少なくとも一部が約４．５５ｋｇ（１０ポンド）〜約９．０９ｋｇ（２０ポンド）の引張荷重の下で少なくとも約３％の弾性伸びを有するようにしてあり、ショルダストラップ部がさらに少なくとも２２７２．７ｋｇ（５０００ポンド）の破壊強度を有し、ストラップ部の少なくとも一部が少なくとも２つの材料製の織物を含み、この２つの材料の一方が非弾性、高強度材料であり、他方が弾性材料であることを特徴とする安全ハーネス。
【請求項６９】
事故の際に人間を障害から守るために人間が装着する安全ハーネスにおいて、人間を安全ハーネスの内部に保持するために人体の一部にわたって延び、人間の動きを容易にするために事故の際以外に人間の動きによって弾性的に伸びるストラップ部を含み、ストラップ部の少なくとも一部が約４．５５ｋｇ（１０ポンド）〜約９．０９ｋｇ（２０ポンド）の引張荷重の下で少なくとも約３％の弾性伸びを有する単一ストラップを含み、ストラップ部がさらに少なくとも２２７２．７ｋｇ（５０００ポンド）の破壊強度を有することを特徴とする安全ハーネス。
【請求項７０】
事故の際に人間を障害から守るために人間が装着する安全ハーネスにおいて、人間のそれぞれの肩に延び、人間の動きを容易にするために事故の際以外に人間の動きによって弾性的に伸びるショルダストラップ部を有する上半身部を含み、ストラップ部の少なくとも一部が約４．５５ｋｇ（１０ポンド）〜約９．０９ｋｇ（２０ポンド）の引張荷重の下で少なくとも約３％の弾性伸びを有する単一ストラップを含み、ショルダストラップ部がさらに少なくとも２２７２．７ｋｇ（５０００ポンド）の破壊強度を有することを特徴とする安全ハーネス。
【請求項７１】
事故の際に人間を障害から守るために人間が装着する安全ハーネスにおいて、人間を安全ハーネスの内部に保持するために人体の一部にわたって延び、人間の動きを容易にするために事故の際以外に人間の動きによって弾性的に伸びるストラップ部を含み、ストラップ部の少なくとも一部が約４．５５ｋｇ（１０ポンド）〜約９．０９ｋｇ（２０ポンド）の引張荷重の下で少なくとも約３％の弾性伸びを有するようにしてあり、ストラップ部がさらに落下を止める際に受ける引張力に耐えることが可能な破壊強度を有し、ストラップ部の少なくとも一部が少なくとも２つの材料製の織物を含み、この２つの材料の一方が非弾性、高強度材料であり、他方が弾性材料であることを特徴とする安全ハーネス。
【請求項７２】
事故の際に人間を障害から守るために人間が装着する安全ハーネスにおいて、ある人間を安全ハーネスの内部に保持するために人体の一部にわたって延び、人間の動きを容易にするために事故の際以外に人間の動きによって弾性的に伸びるストラップ部を含み、ストラップ部の少なくとも一部が約４．５５ｋｇ（１０ポンド）〜約９．０９ｋｇ（２０ポンド）の引張荷重の下で少なくとも約３％の弾性伸びを有する単一ストラップを含み、ストラップ部がさらに落下を止める際に受ける引張力に耐えることが可能な破壊強度を有することを特徴とする安全ハーネス。